(57)【要約】【課題】床鳴り等の問題の発生しない安定した床際構造を作業性に優れた工法によって得る。【解決手段】床際構造３１を提供する。床際構造３１は、躯体下地３２、壁３３、壁３３の際の躯体下地３２上に配置されている根太材３４、及び根太材３４上の床材３５，３６を具え、根太材３４はレベル調整可能な支持脚３７を有している。壁３３にゴム製の根太パッド３８が固定されており、根太材３４の根太パッド３８上への載置及び支持脚３７の躯体下地３２への接触によって、根太材３４が躯体下地３２上で支えられている。【選択図】        図７
2004169456.tif 000002
【特許請求の範囲】
【請求項１】
躯体下地、壁、前記壁の際の前記躯体下地上に配置されている根太材、及び前記根太材上の床材を具え、前記根太材がレベル調整可能な支持脚を有している床際構造において、
前記壁にゴム製の根太パッドが固定されており、前記根太材の前記根太パッド上への載置及び前記支持脚の前記躯体下地への接触によって、前記根太材が前記躯体下地上で支えられていることを特徴とする床際構造。
【請求項２】
複数の前記根太パッドが用いられており、前記各根太パッドが互いに離間した状態で前記壁に固定されている請求項１記載の床際構造。
【請求項３】
前記支持脚が接着剤によって前記躯体下地に固定されている請求項１又は２記載の床際構造。
【請求項４】
躯体下地、壁、前記壁の際の前記躯体下地上に配置されている根太材、及び前記根太材上の床材を具え、前記根太材がレベル調整可能な支持脚を有している床際構造に用いる根太パッドであって、
前記根太パッドがゴムからなり、前記根太パッドの前記壁への固定、前記根太材の前記根太パッド上への載置及び前記支持脚の前記躯体下地への接触によって、前記根太材が前記躯体下地上で支えられることを特徴とする根太パッド。
【請求項５】
前記根太パッドが断面略Ｕ字状の形状を有しており、前記根太材が前記根太パッドの内側底面上に載置される請求項４記載の根太パッド。
【請求項６】
前記根太パッドが７０以下のゴム硬度（デュロメータＡでの測定値）を有する請求項４又は５記載の根太パッド。
【請求項７】
躯体下地、壁、前記壁の際の前記躯体下地上に配置されている根太材、及び前記根太材上の床材を具え、前記根太材がレベル調整可能な支持脚を有している床際構造を施工するにあたり、
ゴム製の根太パッドを準備すること、
前記根太パッドを前記壁に固定すること、
前記根太材を前記根太パッド上に載置すること及び
前記支持脚を前記躯体下地に接触させること
を含むことを特徴とする床際構造の施工方法。
【発明の詳細な説明】
【０００１】
【発明の属する技術分野】
本発明は、床際構造、かかる床際構造に用いる根太パッド及び床際構造の施工方法に関する。詳細には、本発明は、集合住宅等の建物に採用されている乾式二重床の壁際の沈み防止処理のために用いる根太材の取付け方法に関するもので、特に、本発明は、根太材を効率よく取り付けるとともに、安定した床の際の構造を得て、床衝撃音が壁や躯体下地から階下の部屋に伝わるのを防ぐためのものである。
【０００２】
【従来の技術】
図９は従来の１例の床構造を示す断面図である。この例の床構造は、乾式防音二重床の部屋周囲の沈み防止に有効な際根太工法により施工される。際根太工法は、壁１０１に際根太の高さで水平になる基準線を墨だしして、その基準線に合わせて壁１０１に根太材１０２をコンクリート釘１０３で固定し、その下の床下地１０４との間に根太の束（木製）１０５を４５０ｍｍピッチ程度で入れて、根太材１０２を支持するのが一般的である（例えば、特許文献１参照）。
【０００３】
【特許文献１】
特開２００１−７３５３３号公報（図７）
【０００４】
なお、根太材１０２の上には、二重床下地合板１０６、フローリング材１０７を施工する。また、二重床下地合板１０６は床中央寄りで、パーティクルボード１０８と床支持脚１０９とで支えられる。床支持脚１０９は、パーティクルボード１０８の表面が根太材１０２の表面の高さと同じ高さになるように、ナット１１０及びボルト１１１からなる支持部材１１２とゴム部材１１３とからなる。フローリング材１０７と壁１０１との際には、美観上の理由から巾木１１４が用いられ、巾木１１４は木製で、軟質樹脂部材１１５を有している。
【０００５】
図１０及び１１は従来の他の例の床構造を示す断面図である。これらの例の床構造は、防音性を考慮した工法で得られ、ナット１１６付きの根太材１１７に、レベル調整が可能な防振ゴム１１８付きの支持ボルト１１９を取り付け、壁１０１に根太材１１７が接触しないようにして、壁１０１に墨だしした基準線に合わせてレベル調整し、施工されるのが一般的である。
【０００６】
壁１０１と根太材１１７とが接触しないようにするには、ゴムスポンジやソリッドゴム１２０，１２１を根太材１１７や壁１０１に釘１２２によって一定間隔で取り付ける方法がある（例えば、特許文献２及び３参照）。なお、フローリング材１０７の下のパーティクルボード１２３の床中央部側は、床支持脚１２４によって支えることができる。床支持脚１２４は、二重床支持パネル１２５、鋼製ナット１２６、二重床鋼製ボルト１２７及び二重床ゴム部材１２８からなる。
【０００７】
【特許文献２】
特開平９−１７７２８９号公報（図１１）
【特許文献３】
特開平１１−２４５９６４号公報（図２）
【０００８】
これらの床構造では、壁との間の振動が絶縁された根太材にパーティクルボード等のベースパネルか下地合板を釘又はビス等で取り付け、その上にフローリング、カーペット、クッションフロアー等の仕上げ材が施工されている。これらの例の床構造は、壁からの音の伝わりをなくし、コンクリート等の躯体下地への音の伝わりを軽減するのに有効なものである。
【０００９】
【発明が解決しようとする課題】
壁に根太材をコンクリート釘で固定する工法は、壁から階下への音の伝わりがあり、床衝撃音レベル性能が悪化する。また、根太材を束として用いるため、直接コンクリート等の躯体下地から階下に音が伝わる。
【００１０】
防音性を考慮した工法では、壁に根太材が接触しないように、防振ゴム付きの際根太材を壁に墨だしした基準線に合わせてレベル調整するのに時間がかかり、３つ以上のような複数の防振ゴム付き支持脚の高さを揃えることは事実上不可能であり、ベースパネルを際根太の上に載せる時に際根太が不安定で倒れることもあり、施工性が悪く、極めて危険である。
【００１１】
また、コンクリート等の下地の不陸が激しい場所では、根太材が傾き、ベースパネルや下地合板の取り付けが難しく、根太材とベースパネルや下地合板の間に隙間ができた状態で釘打ち、ビス止めされると、床鳴りの原因になる。
【００１２】
コンクリート等の躯体下地と際根太のゴム支持脚を接着させない工法では、重量床衝撃音に対して、部屋周囲部の床の跳ね上がりにより、巾木から壁を通して階下に音が伝わり易く、躯体下地と際根太のゴム支持脚とを接着させていないため、不安定で施工性が悪くなる。
【００１３】
本発明の課題は、上述の床構造の施工上の問題を解消し、床鳴り等の問題のない安定した床際構造を作業性に優れた工法によって得ることである。
【００１４】
【課題を解決するための手段】
本発明は、躯体下地、壁、前記壁の際の前記躯体下地上に配置されている根太材、及び前記根太材上の床材を具え、前記根太材がレベル調整可能な支持脚を有している床際構造において、前記壁にゴム製の根太パッドが固定されており、前記根太材の前記根太パッド上への載置及び前記支持脚の前記躯体下地への接触によって、前記根太材が前記躯体下地上で支えられていることを特徴とする床際構造、かかる床際構造に用いる根太パッド及びかかる床際構造の施工方法に係るものである。
【００１５】
本発明は、ゴム製の根太パッド上にレベル調整可能な支持脚付きの根太材を載置し、仮固定した状態で、その支持脚を躯体下地に延ばして根太材を躯体下地に支持させることで、躯体下地の不陸にかかわらず、根太材の安定した位置決めが可能になるという知見に基づくものである。
【００１６】
本発明では、支持脚によって根太材の位置決めをするのではなく、ゴム製の根太パッドによって根太材の位置決めを行う。支持脚による根太材の躯体下地上での支持は、躯体下地の不陸に著しく影響を受け、しかも、３つ以上等の複数の支持脚によっては事実上、根太材の高さのばらつきのない安定した根太材の位置決めは不可能である。
【００１７】
ゴム製の根太パッドによって根太材の位置決めを行うことで、支持脚によって根太材を支える場合の根太材の高さのばらつきが、根太パッドによる所定の緩衝作用内に収まって、根太材の安定した位置決めが可能となる。
【００１８】
本発明では、ゴム製の根太パッドによる根太材の位置決めにより、根太材と根太材上の床材との間に隙間が生じなくなり、床鳴り等の問題のない安定した床際構造が得られる。
【００１９】
【発明の実施の形態】
本発明の実施をする形態について説明する。
（１）床際構造
床際構造は、躯体下地、壁、躯体下地上の根太材、根太材上の床材、及び壁に固定されているゴム製の根太パッドを具えており、根太材の根太パッド上への載置及び支持脚の躯体下地への接触によって、根太材が支えられ、根太材を位置決めすることができる。
【００２０】
（２）根太パッド
ゴム製ではあるが、壁に固定でき、材質、形状等の制限はなく、種々のものを用いることができる。特に、根太パッドは根太材を仮固定するように載置できる水平部を具えることができる。
【００２１】
（２−１）根太パッドの形状
根太パッドは、載置される根太材が壁に直接接触しないで、根太材と壁との間の振動伝達が抑制されるように、根太材と壁との間に介在する垂直部を有することができる。
【００２２】
好ましくは、根太パッドは断面略Ｕ字状の形状を有する。かかる根太パッドは２つの垂直部と各垂直部の間の水平部とを有しており、一方の垂直部が壁に固定され、水平部の内側底面上に根太材を載置することができる。また、好ましくは、かかる根太パッドは、２つの垂直部の間で根太材をはさみ込む。
【００２３】
また、好ましくは、根太パッドは断面略コの字状の形状を有している。かかる根太パッドは、１つの垂直部と２つの水平部とを有しており、垂直部が壁に固定され、下側の水平部上に根太材が載置される。好ましくは、かかる根太パッドも、２つの水平部の間に根太材をはさみ込む。
【００２４】
根太パットには、根太材が載置された際にその根太材の上面がくる位置に、予め印を付けることができる。かかる印は、根太パッドを壁の所定位置に固定しようとする際、根太材の上面位置を示し、根太材の正確な位置決めを可能にする。
【００２５】
かかる印は、特に制限されることなく種々のものを用いることができるが、簡易なものとしては、線や、切れ込み、切り欠き部、段差等の形状を用いることができる。
【００２６】
（２−２）根太パッドの配置
複数の根太パッドを用い、各根太パッドを互いに離間した状態で壁に固定するのが好ましい。各根太パッドの間の空間は、床下空間と室内空間等との間を連通させるようにすれば、床下空間で起こる床衝撃音の共振現象（タイコ現象）を防ぐことができる。
【００２７】
（２−３）根太パッドの材質
根太パットのゴム硬度は、デュロメータＡで７０以下の範囲であるのが好ましい。かかる硬度の根太パッドは、床衝撃音が床仕上げ面から壁に伝わり階下へ伝達するのを防ぐのに有効な防振性能を有する。
【００２８】
（３）根太材
壁の際の躯体下地上に配置されている。根太材は、レベル調整可能な支持脚を有しており、この支持脚によって躯体下地上に支えられる。根太材が壁の際に配置される場合を、特に、際根太、又は際根太材と呼ぶ。
【００２９】
根太材の材質、形状等は、特に制限なく種々のものを用いることができる。概して、根太材は木製の角材であり、集成材を用いることもある。
【００３０】
（３−１）支持脚
根太材に取り付けられており、根太材と躯体下地との間の距離を調節するものである。種々の材質、形状等のものを用いることができる。
【００３１】
好ましくは、支持脚は棒状の支持部材と支持部材の一方の端部のゴム部材とからなり、支持部材の他方の端部は根太材に固定される。支持脚のゴム部材は躯体下地に接触し根太材と躯体下地との間を絶縁し、支持部材は根太材と躯体下地との間の距離が調節可能な状態で根太材を躯体下地上に支える。
【００３２】
（３−２）支持脚の高さ調節手段
種々の手段を用いることができる。好ましくは、支持部材としてボルトと根太材に固定されたナットとを用いる。
【００３３】
（３−３）支持部材及びゴム部材の材質等
支持部材としてのボルト及び高さ調節手段としてのボルト及びナットは、鋼製又は硬質樹脂製が好ましい。また、ゴム部材は防振ゴムを用いることができ、このようなゴム部材のゴム硬度は、ゴムのＪＩＳ規格による測定方法に従いデュロメータＡで４０〜８０の範囲である。
【００３４】
（３−４）支持脚と躯体下地との接着
好ましくは、支持脚は接着材によって躯体下地に固定する。根太材を躯体下地と固定することにより、より安定した際根太構造となる。重量床衝撃音に対しては、部屋周囲部の床の跳ね上がりがなくなり、支持脚と躯体下地との間での音の発生がなくなる。
【００３５】
支持脚がゴム部材を有する場合には、支持脚が躯体下地に接した状態でゴム部材と躯体下地との間に接着剤を流し込み、支持脚と躯体下地とを接着することができる。かかる接着剤としては、根太材に取り付けられるナットとボルト部分に使用する低粘度の接着剤を併用して使用すると、施工性が良く、ゴム部材と躯体下地とが接触している状態でもそれらの間に接着剤が流れ込み接着性も良い。
【００３６】
（４）躯体下地
種々の材質等からなり、種々の構造等を有することができる。概して、乾式二重床で用いられることがある床スラブ等のコンクリートの床下地等である。コンクリートからなる躯体下地の不陸は、支持脚のみで調節する根太材の高さに見過ごせない程度のばらつきが生じる場合であっても、根太パッドによって根太材を位置決めする限り問題はなくなる。
【００３７】
（５）壁
種々の材質等からなり、種々の構造等を有することができる。躯体壁、躯体壁に室内用の壁を有する二重壁も含まれる。好ましくは、壁は根太材との間に隙間を形成する。かかる隙間は床下の閉鎖空間で起こる共振現象を防ぐことができる。
【００３８】
（６）床材
根太材上に支えられるものである。通常の板状等の床材が用いられ、通常のパーティクルボード等の床下地材等や、フローリング材等の床仕上げ材等が含まれる。二重床では、概して、床下地材としてベースパネルが使用され、ベースパネルとしては、２０〜３０ｍｍの厚さのパーティクルボード、合板、集成材等を用いることができる。
【００３９】
床材は、壁に近い際の部分は際根太材によって支えられるが、床材の中央部分は、通常の二重床ゴム脚によって支えることができる。かかる二重床ゴム脚は、特に制限されることなく、種々の形状、材質等のものを用いることができ、床を支える床用支持部材と躯体下地に接するゴム部材とを具える。
【００４０】
（７）巾木
床材と壁とが接近する部分、すなわち床の際には、巾木を用いることができる。巾木は、特に制限されることなく、種々の材質、形状等のものを用いることができる。
【００４１】
壁周囲に取り付ける巾木は、軟質樹脂のソフト巾木か、木製巾木の場合は、木製巾木の下に５ｍｍ程度の軟質樹脂が取り付けてあるものを使用することができる。軟質樹脂が取り付けられてない木製巾木をフローリング等の仕上げ材と接触させて取り付けた場合は、巾木から壁を通して階下に音が伝わり、床衝撃音レベル性能が悪化する。重量床衝撃音に対しては、根太材を躯体下地に接着剤で固定すれば、部屋周囲部の床の跳ね上がりがなくなり、巾木から壁を通して階下に伝わる音が軽減される。
【００４２】
（８）床際構造の施工
床際構造は、特に制限されることなく、種々の方法によって施工することができる。好ましくは、床際構造の施工方法は、（ｉ）ゴム製の根太パッドを準備し、根太パッドが根太材を仮固定することができる水平部を有すること、（ｉｉ）根太パッドを壁に固定すること、（ｉｉｉ）支持脚を有する根太材を根太パッドの水平部上に載置すること、及び（ｉｖ）支持脚を躯体下地に接触させることを含む。
【００４３】
根太材を載置することができるゴム製の根太パッドを、壁の墨だしした基準線等のような所定の高さに根太材の上面が合うように、壁の所定位置にビス等で固定し、レベル調整可能な支持脚が一定間隔で取り付けられている根太材を根太パットに載置した後に、根太材の支持脚が躯体下地に接触するまで支持脚を延ばすだけで容易に根太材のレベル出しを行うことができる。
【００４４】
根太材は、レベル調整可能な支持脚によって位置決めするのではなく、ゴム製の根太パットを壁の所定の基準線等に合わせて壁に固定し、根太材を根太パッド上に載置することで位置決めされる。根太材は、根太パッド上の載置の時点で、墨だしした基準線と根太材上面を同じ高さ位置にすることができ、支持脚による根太材のレベル調整が不要で、後は支持脚を躯体下地に接触するまで延ばすだけで良い。
【００４５】
ゴム製の根太パットの壁への取り付け数は、ゴム支持脚が一定間隔で取り付けられている根太材１本を載置することができる最少限の数でよい。１ｍ程度の長さの根太材１本に対して２つ程度の根太パットを使用することができる。
【００４６】
断面略Ｕ字状又は断面略コの字状の形状の根太パッド、及び防振ゴム付きの支持脚を用いることにより、乾式二重床の根太材が直接壁と接触せず、根太材のレベル調整が容易に行え、防音性能に優れた床際構造を得ることができる。
【００４７】
根太パットにはさみ込むことにより、根太材上面が水平にでき、又壁と直角にもでき、コンクリート等の躯体下地の不陸が激しい場所においても、根太材の傾きがなくなり、根太材とベースパネルや下地合板等の床材を取り付ける際に隙間ができず、床鳴りが発生しない。
【００４８】
また、根太材を根太パットにはさみ込み、保持させることにより、根太材にベースパネル等の床材を載せる時に、根太材の倒れる危険がなく、二重床の施工を安全で容易に行うことができる。
【００４９】
図面を参照して、本発明をより一層詳細に説明する。
図１（ａ）は本発明の１例の根太パッドの正面図であり、図１（ｂ）は図１（ａ）の根太パッドの右側面図である。
【００５０】
図２は本発明の他の例の根太パッドを壁に固定するようすを示す斜視図である。図３は図２の根太パッドに根太材を載置した状態の斜視図である。図４は図２の根太材の支持脚を躯体下地に延ばした状態の斜視図である。図５は図２の支持脚のゴム部材と躯体下地とを接着剤によって接着させた状態の斜視図である。図６は図５の根太材の全体の取付け状態を示す斜視図である。
【００５１】
図７は本発明の１例の床際構造の縦断面図である。図８は本発明の他の例の床際構造の縦断面図である。
【００５２】
本発明の１例の根太パッド１は、図１（ａ）の正面図及び図１（ｂ）の左側面図に示すように、１つの水平部２と２つの垂直部３，４とを有し、断面略Ｕ字状の形状である。
【００５３】
垂直部３には、根太パット１を壁にビスによって取り付ける際のビス穴５が設けてある。水平部２の底面２Ａの長さは根太材をはさみ込めるように使用するために根太材の幅と同程度の長さとし、垂直部４の長さは垂直部３のビス穴５が右側面から見た時に隠れない程度の長さとする。垂直部３の内面には、ビス穴５の周囲に窪み部６を設け、ビスが根太材と接触しないようにする。
【００５４】
水平部２及び各垂直部３，４は、根太材を根太パット１にはさみ込んで仮固定する際に傾かない程度の強度を有し、その強度を発揮する限り、種々の材質、厚さ等とすることができる。
【００５５】
垂直部３には、根太材が載置された際に根太材の上面がくる位置に段差７が設けられている。段差７は、壁に根太材の高さ位置を墨だしし、その位置で根太材の高さが同じになるように根太パットを墨だし位置に合わせて取り付ける際に、位置合わせし易いようにする印である。かかる印は、図１（ｂ）に示すように突出部に形成された段差でも、図２に示すような線でもよい。
【００５６】
根太パッド１は、図２〜６に示すように使用して、図７及び８に示すような床際構造を施工することができる。
【００５７】
図２は、本発明の他の例のゴム製の根太パッド１１を壁１２に取り付けるようすを示す。根太パッド１１は、根太材の表面がくる位置に基準線１３が記してある。ゴム製の根太パット１１の基準線１３を、壁１２に墨だしした根太材高さ位置の線１４に合わせて、根太パット１１にあるビス穴１５にビス１６を挿入して、根太パッド１１を壁１２に取り付ける。
【００５８】
図３は、際根太材１７を図２のように壁１２に取り付けた根太パット１１に仮固定した状態を示す。際根太材１７は、ボルト１８付きのゴム支持脚１９が一定間隔で取り付けられている。際根太材１７は、根太パッド１１にはさみ込み、取り付けを行なう。レベル調整孔２０にはナットが取り付けられており、ボルト１８により高さ調整ができるようになっている。
【００５９】
図４は、根太パット１１にはめ込んだ際根太材１７のゴム支持脚１９を躯体下地２１に接するまでボルト１８を回した状態を示す。ゴム支持脚１９を躯体下地２１に接するまでボルト１８を回すだけで、レベル調整をする必要がなく、躯体下地２１のレベルが悪く不陸が大きい場所でも、際根太材１７が傾くことなく、壁１２と際根太材１７の表面とが直角に保たれる。
【００６０】
図５は、ゴム支持脚１９と躯体下地２１との間に接着剤２２を流し込み固定させた状態を示す。接着することにより、躯体下地２１の不陸が大きい場所においても、より一層際根太材１７が安定する。際根太材のナットとボルト１８も同じ接着剤を使用し、レベル調整孔２０から流し込み固定する。際根太材１７を躯体下地２１と固定することにより、重量床衝撃音に対して、部屋周囲部の床の跳ね上がりがなくなり、巾木から壁を通して階下に伝わる音が軽減される。
【００６１】
図６は、図５と同様に、根太材の施工が完了した状態を広い範囲で示す。際根太材１７には、ボルト１８付きのゴム支持脚１９が一定間隔で設けられており、一本の際根太材１７に対し、２つの根太パット１１を取り付け、際根太材１７を固定する。また、際根太材１７の間は床鳴りの発生を防止するため、隙間を開けて施工を行う。
【００６２】
図７は、本発明の１例の床際構造の断面図であり、二重床の施工後の壁、際根太材及び床材の納まり状態を示す。床際構造３１は、躯体下地３２、壁３３、壁３３の際の躯体下地３２上に配置されている根太材３４、及び根太材３４上のベースパネルであるパーティクルボード３５、仕上げ材のフローリング材３６を具え、根太材３４はレベル調整可能な支持脚３７を有している。
【００６３】
床際構造３１においては、壁３３にゴム製の根太パッド３８が固定されており、根太材３４の根太パッド３８上への載置及び支持脚３７の躯体下地３２への接触によって、根太材３４が躯体下地３２上で支えられている。根太材３４の上には、二重床の床材として、ベースパネルであるパーティクルボード３５が根太材３４に直接ビスや釘で取り付けられ、その上に仕上げ材のフローリング材３６が施工されている。
【００６４】
床際構造３１は、巾木３９を備えることができ、巾木３９は、木製巾木材４０の下に５ｍｍ程度の軟質樹脂４１が取り付けてあるものを使用している。なお、図７では、根太パッド３８をビス４２で壁３３に固定し、支持脚３７をボルト４３とナット４４とで延ばし、ゴム部材４５を躯体下地３２と接触させる。また、パーティクルボード３５の床中央部側は、床支持脚４６によって支えることができる。床支持脚４６は、二重床支持パネル４７、剛性ナット４８、二重床鋼製ボルト４９及び二重床ゴム部材５０からなることができる。
【００６５】
図８は、本発明の他の例の床際構造４１の断面図であり、二重床の施工後の壁、際根太材及び床材の納まり状態を示す。図７とは異なり、根太材３４の上側の高さと同じ高さに、ベースパネルであるパーティクルボード４２の上側高さを、床支持脚４３によって合わせ、下地合板４４を根太材３４とパーティクルボード４２の上に載せて、ビスや釘で取り付けを行なった例である。床支持脚４３は、ナット４５及びボルト４６からなる支持部材４７とゴム部材４８とを備えることができる。下地合板４４の上には、図７と同様に、仕上げ材であるフローリング材３６が施工されている。
【００６６】
【発明の効果】
本発明によれば、ゴム製の根太パッドによる根太材の位置決めにより、根太材と根太材上の床材との間に隙間が生じなくなり、床鳴り等の問題のない安定した床際構造が得られる。
【００６７】
また、本発明によれば、根太材を壁に取り付けたゴム製の根太パットにはさみ込むことにより、躯体下地の不陸が悪い箇所においても、根太材の正確な位置決めが行えると共に根太材上面を水平に保つことができ、根太材とその上のベースパネルや下地合板等の床材とを固定する際にそれらの間に隙間ができず、床鳴りの防止が可能になる。
【００６８】
特に、本発明によれば、ゴム製の根太パットを使用してレベル調整可能な支持脚付きの根太材を施工することにより、際根太の施工を短時間で行なうことができ、躯体下地の不陸が悪い箇所においても、根太材上面を水平に保つことができることから、施工時の根太材の倒れが防止され、作業の安全性が著しく向上し、また、施工作業者による水平のレベル出しのバラツキが軽減される。
【００６９】
また、本発明によれば、根太パッドによって壁と根太材とが直接接しないようにすることで、床衝撃音の根太材から壁への伝達が防止でき、根太パッド及び支持脚のゴム部材により、躯体下地との間の音の伝達も軽減することができる。さらに、支持脚と躯体下地とを接着剤により固定することにより、作業性が極端に犠牲になることもなく、重量床衝撃音に対して著しい改善効果が得られる。
【図面の簡単な説明】
【図１】（ａ）は本発明の１例の根太パッドの正面図であり、（ｂ）は（ａ）の根太パッドの右側面図である。
【図２】本発明の他の例の根太パッドを壁に固定するようすを示す斜視図である。
【図３】図２の根太パッドに根太材を載置した状態の斜視図である。
【図４】図２の根太材の支持脚を躯体下地に延ばした状態の斜視図である。
【図５】図２の支持脚のゴム部材と躯体下地とを接着剤によって接着させた状態の斜視図である。
【図６】図５の根太材の全体の取付け状態を示す斜視図である。
【図７】本発明の１例の床際構造の縦断面図である。
【図８】本発明の他の例の床際構造の縦断面図である。
【図９】従来の１例の床構造を示す断面図である。
【図１０】従来の他の例の床構造を示す断面図である。
【図１１】従来の更に他の例の床構造を示す断面図である。
【符号の説明】
１，１１，３８  根太パッド
２  水平部
３，４  垂直部
１２，３３  壁
１３  基準線
１４  墨だし線
１７  際根太材
１９  ゴム支持脚
２０  レベル調整孔
２１，３２  躯体下地
２２  接着剤
３１  床際構造
３４  根太材
３５  パーティクルボード（ベースパネル）
３６  フローリング（仕上げ材）
３７  支持脚
３９  巾木
１０１  壁
１０２  根太材
１０４  床下地
１０５  束（木製）
１０６  二重床下地合板
１０７  フローリング材
１１５  軟質樹脂部材
１１７  ナット付きの根太材
１１９  レベル調整可能な防振ゴム付き支持ボルト
１２０  ゴムスポンジ
１２１  ソリッドゴム
【図１】
2004169456.tif 000003
【図２】
2004169456.tif 000004
【図３】
2004169456.tif 000005
【図４】
2004169456.tif 000006
【図５】
2004169456.tif 000007
【図６】
2004169456.tif 000008
【図７】
2004169456.tif 000009
【図８】
2004169456.tif 000010
【図９】
2004169456.tif 000011
【図１０】
2004169456.tif 000012
【図１１】
2004169456.tif 000013